(57)【要約】【課題】テストピースを用いることなく送信回路及び受信回路が正常に機能しているか否かを判定する金属検出装置を提供する。【解決手段】金属検出装置は、送信コイルを含み、送信コイルに設定波形の交番電流を入力することによって被検査物が通過する検査領域内に交番磁界を発生させる送信回路と、検査領域における磁束変化に応じた検出信号を出力する第１受信コイル及び第２受信コイルを含む受信回路と、第１受信コイルの検出信号と第２受信コイルの検出信号との差分である差分信号に基づいて、検査領域内を通過する被検査物に含まれる金属異物を検出する金属検出部と、被検査物が検査領域内を通過していないときに送信コイルに供給される交番電流の設定波形を変化させ、差分信号に基づいて送信回路及び受信回路が正常に機能しているか否かを判定する診断部とを備える。【選択図】図１
2019002709.tif 000002
【特許請求の範囲】
【請求項１】
送信コイルを含み、前記送信コイルに設定波形の交番電流を供給することによって被検査物が通過する検査領域内に交番磁界を発生させる送信回路と、
前記検査領域における磁束変化に応じた検出信号を出力する第１受信コイル及び第２受信コイルを含む受信回路と、
前記第１受信コイルの検出信号と前記第２受信コイルの検出信号との差分である差分信号に基づいて、前記検査領域内を通過する前記被検査物に含まれる金属異物を検出する金属検出部と、
前記被検査物が前記検査領域内を通過していないときに前記送信コイルに供給される交番電流の設定波形を変化させ、前記差分信号に基づいて前記送信回路及び前記受信回路が正常に機能しているか否かを判定する診断部と、
を備える金属検出装置。
【請求項２】
前記診断部は、前記送信コイルに供給される交番電流の設定波形の変化に応じて前記差分信号が変化しない場合には、前記送信回路及び前記受信回路が正常に機能していないと判定する、請求項１に記載の金属検出装置。
【請求項３】
前記診断部は、前記送信コイルに供給される交番電流の振幅を変化させ、前記差分信号の振幅に基づいて前記送信回路及び前記受信回路が正常に機能しているか否かを判定する、請求項１又は２に記載の金属検出装置。
【請求項４】
前記診断部は、前記送信コイルに供給される交番電流の位相又は周波数を変化させ、前記差分信号の位相又は周波数に基づいて前記送信回路及び前記受信回路が正常に機能しているか否かを判定する、請求項１〜３の何れか一項に記載の金属検出装置。
【請求項５】
前記送信コイルを流れる交番電流を検出する検出器をさらに備え、
前記診断部は、前記検出器の検出結果と前記差分信号とに基づいて、前記送信回路又は前記受信回路が正常に機能しているか否かを判定する、請求項１〜４の何れか一項に記載の金属検出装置。
【請求項６】
前記被検査物が自然落下により通過する空間をその内部に有するケース本体部を備え、前記検査領域は前記空間に設定される、請求項１〜５の何れか一項に記載の金属検出装置。
【請求項７】
送信コイルを含む送信回路、並びに、第１受信コイル及び第２受信コイルを含む受信回路を備え、検査領域を通過する被検査物に含まれる金属異物によって生じる磁束変化に基づいて前記金属異物を検出する金属検出装置のための診断方法であって、
前記被検査物が前記検査領域内を通過していないときに、前記送信コイルに供給される交番電流の設定波形を変化させるステップと、
前記第１受信コイルの検出信号と前記第２受信コイルの検出信号との差分である差分信号に基づいて前記送信回路及び前記受信回路が正常に機能しているか否かを判定するステップと、
を備える診断方法。
【発明の詳細な説明】
【技術分野】
【０００１】
本発明は、金属検出装置及び診断方法に関する。
【背景技術】
【０００２】
特許文献１には、磁界と金属との相互作用を利用して被検査物に含まれる金属異物を検出する金属検出装置が記載されている。この装置は、磁界を発生させる送信回路及び磁束変化を検出する受信回路を備える。この装置は、金属を含むテストピースを用いて異物検出機能を診断する。
【先行技術文献】
【特許文献】
【０００３】
【特許文献１】特開２０１５−１１１０７５号公報
【発明の概要】
【発明が解決しようとする課題】
【０００４】
テストピースを用いて異物検出機能を診断する手法では、金属異物が金属検出装置の検査領域に敢えて投入され、装置が検出することができるか否かが判定される。検査領域内に異物が付着したり残留したりすることを回避するために、テストピースを用いた診断の回数は極力少ない方が好ましい。また、テストピースを用いて異物検出機能を診断する場合、テストピースを投入して回収する人員が必要となる。
【０００５】
本発明は、テストピースを用いることなく送信回路及び受信回路が正常に機能しているか否かを判定することができる金属検出装置及び診断方法を提供することを目的とする。
【課題を解決するための手段】
【０００６】
本発明に係る金属検出装置は、送信コイルを含み、送信コイルに設定波形の交番電流を入力することによって被検査物が通過する検査領域内に交番磁界を発生させる送信回路と、検査領域における磁束変化に応じた検出信号を出力する第１受信コイル及び第２受信コイルを含む受信回路と、第１受信コイルの検出信号と第２受信コイルの検出信号との差分である差分信号に基づいて、検査領域内を通過する被検査物に含まれる金属異物を検出する金属検出部と、被検査物が検査領域内を通過していないときに送信コイルに供給される交番電流の設定波形を変化させ、差分信号に基づいて送信回路及び受信回路が正常に機能しているか否かを判定する診断部と、を備える。
【０００７】
この装置では、診断部により、被検査物が検査領域内を通過していないときに送信コイルに供給される交番電流の設定波形が変化する。交番電流の設定波形が変化した場合、検査領域内の磁界が変化する。このため、第１受信コイルの検出値及び第２受信コイルの検出信号も変化する。第１受信コイル及び第２受信コイルは、配置位置の違いや組み付け誤差などにより、同一の磁束変化であっても若干異なる検出信号を出力する。つまり、送信回路及び受信回路が正常であれば、交番電流の設定波形の変化に応じて差分信号が変化する（０以上の値を有する）。この装置は、交番電流の設定波形の変化に応じた差分信号の変化を検証することで、テストピースを用いることなく送信回路及び受信回路が正常に機能しているか否かを判定することができる。
【０００８】
一実施形態においては、診断部は、送信コイルに供給される交番電流の設定波形の変化に応じて差分信号が変化しない場合には、送信回路及び受信回路が正常に機能していないと判定してもよい。このように構成した場合、テストピースを用いることなく、異常を検知することができる。
【０００９】
一実施形態においては、診断部は、送信コイルに供給される交番電流の振幅を変化させ、差分信号の振幅に基づいて送信回路及び受信回路が正常に機能しているか否かを判定してもよい。このように構成した場合、差分信号の振幅を検証して送信回路及び受信回路が正常に機能しているか否かを判定することができる。
【００１０】
一実施形態においては、診断部は、送信コイルに供給される交番電流の位相又は周波数を変化させ、差分信号の位相又は周波数に基づいて送信回路及び受信回路が正常に機能しているか否かを判定してもよい。このように構成した場合、差分信号の位相又は周波数を検証して送信回路及び受信回路が正常に機能しているか否かを判定することができる。
【００１１】
一実施形態においては、金属検出装置は、送信コイルを流れる交番電流を検出する検出器をさらに備え、診断部は、検出器の検出結果と差分信号とに基づいて、送信回路又は受信回路が正常に機能しているか否かを判定してもよい。交番電流が検出されている場合には、送信回路は正常であると判断することができ、交番電流が検出されていない場合には、送信回路は正常でないと判断することができる。また、送信回路が正常である場合において、交番電流の設定波形の変化に応じて差分信号の変化がない場合（略０のままである場合）には、受信回路が正常ではないと判断することができる。このように、送信回路及び受信回路のどちらが異常であるのかを切り分けることができる。
【００１２】
一実施形態においては、金属検出装置は、被検査物が自然落下により通過する空間をその内部に有するケース本体部を備え、検査領域は空間に設定されてもよい。被検査物を落下させて検査する装置においては、ベルトコンベアなどを用いて被検査物を水平方向へ移動させて検査する装置に比べて、テストピースを用いた診断に多くの人員が必要となる。被検査物を落下させて検査する装置において、テストピースを用いることなく送信回路及び受信回路が正常に機能しているか否かを判定することにより、診断に必要な人員を削減することができる。
【００１３】
本発明に係る診断方法は、送信コイルを含む送信回路、並びに、第１受信コイル及び第２受信コイルを含む受信回路を備え、検査領域を通過する被検査物に含まれる金属異物によって生じる磁束変化に基づいて金属異物を検出する金属検出装置のための診断方法であって、被検査物が検査領域内を通過していないときに、送信コイルに供給される交番電流の設定波形を変化させるステップと、第１受信コイルの検出信号と第２受信コイルの検出信号との差分である差分信号に基づいて送信回路及び受信回路が正常に機能しているか否かを判定するステップと、を備える。
【００１４】
この診断方法によれば、上述した金属検出装置と同一の効果を奏する。
【発明の効果】
【００１５】
本発明によれば、テストピースを用いることなく送信回路及び受信回路が正常に機能しているか否かを判定することができる。
【図面の簡単な説明】
【００１６】
【図１】第１実施形態に係る金属検出装置の概念図である。
【図２】交番電流、受信回路の電流、及び、差分出力を説明するグラフである。
【図３】図２の交番電流の振幅を変化させたときの受信回路の電流、及び、差分出力を説明するグラフである。
【図４】交番電流の位相変化の前後における受信回路の励起電圧と位相との関係を示す特性カーブである。
【図５】金属検出装置の診断処理の一例を説明するフローチャートである。
【図６】第２実施形態に係る金属検出装置の概念図である。
【発明を実施するための形態】
【００１７】
以下、図面を参照して、本発明の実施形態について説明する。なお、以下の説明において、同一又は相当要素には同一符号を付し、重複する説明を省略する。
【００１８】
［第１実施形態］
［装置構成］
図１は実施形態に係る金属検出装置１の概念図である。図１に示される金属検出装置１は、被検査物Ｓに含まれる金属異物を検出する装置である。被検査物Ｓは例えば食品である。金属検出は、磁界と金属との相互作用を利用して被検査物に含まれる異物を検出する手法である。
【００１９】
金属検出装置１は、ケース本体部１０を備える。ケース本体部１０は、被検査物Ｓが自然落下により通過する空間をその内部に有する。ケース本体部１０の内部には、金属検出が行われる検査領域Ｒが設定される。金属検出装置１は、送信回路２、受信回路３及び制御部４を備える。
【００２０】
送信回路２は、送信コイル２０を含む。送信コイル２０は、検査領域Ｒに対応して配置されており、電気量を磁界に変換する。送信回路２は、例えば制御部４から送信された設定周波数及び設定振幅を有する送信信号に基づいて、送信コイル２０に入力させる設定波形の交番電流を決定する。設定波形の交番電流とは、予め定められた定型波形となるように変調された電流である。設定波形の交番電流では、振幅及び周波数（周期）が固定値とされる。送信回路２は、送信コイル２０に設定波形の交番電流を供給することによって被検査物Ｓが通過する検査領域Ｒ内に交番磁界を発生させる。
【００２１】
受信回路３は、サーチコイル３０として第１受信コイル３０ａ及び第２受信コイル３０ｂを含む。第１受信コイル３０ａ及び第２受信コイル３０ｂは、検査領域Ｒに対応して配置されている。一例として、第１受信コイル３０ａ及び第２受信コイル３０ｂは、送信コイル２０と対向配置される。第１受信コイル３０ａ及び第２受信コイル３０ｂと送信コイル２０との間に検査領域Ｒが介在する。
【００２２】
第１受信コイル３０ａ及び第２受信コイル３０ｂそれぞれは、検査領域Ｒにおける磁束変化に応じた検出信号を出力する。検出信号は、電気的な信号であり、電流であってもよいし電圧であってもよい。第１受信コイル３０ａ及び第２受信コイル３０ｂは、同一の巻数及び長さで構成され、差動接続される。このため、第１受信コイル３０ａ及び第２受信コイル３０ｂは、逆極性の出力となる。
【００２３】
検査領域Ｒを金属異物が通過しないとき、第１受信コイル３０ａ及び第２受信コイル３０ｂの出力信号は、同振幅かつ同位相であって逆極性となる。このため、差動接続された２つの受信コイルから得られる出力（差分信号）は略０となる。これに対して、検査領域Ｒを金属異物が通過するとき、金属異物の移動に応じて磁束変化が生じる。このため、第１受信コイル３０ａ及び第２受信コイル３０ｂの出力の平衡状態がくずれ、差動接続された２つの受信コイルから得られる出力は、値を持った出力（差分信号）となる。この差分信号の値の有無を判定することで金属異物を検出することができる。
【００２４】
制御部４は、送信回路２及び受信回路３に接続される。制御部４は、外部との信号の入出力などを行う入出力インターフェースＩ／Ｏ、処理を行うためのプログラムおよび情報などが記憶されたＲＯＭ（Read Only Memory）、データを一時的に記憶するＲＡＭ（RandomAccess Memory）、ＨＤＤ（Hard Disk Drive）などの記憶媒体、ＣＰＵ（Central Processing Unit）、及び通信回路などを有する。制御部４は、ＣＰＵが出力する信号に基づいて、入力データをＲＡＭに記憶し、ＲＯＭに記憶されているプログラムをＲＡＭにロードし、ＲＡＭにロードされたプログラムを実行することで、後述する機能を実現する。
【００２５】
制御部４は、機能的構成として、金属検出部４０、診断部４１、記憶部４２及び表示部４３を備える。
【００２６】
金属検出部４０は、設定周波数及び設定振幅を有する送信信号を生成する。金属検出部４０は、通信回路などを介して送信回路２へ生成した送信信号を出力する。そして、金属検出部４０は、通信回路などを介して受信回路３から差分信号を取得する。金属検出部４０は、差分信号に基づいて、検査領域Ｒ内を通過する被検査物Ｓに含まれる金属異物を検出する。このように、金属検出装置１では、送信回路２、受信回路３及び金属検出部４０が協働して動作することにより、金属検出が行われる。
【００２７】
上述したとおり、金属異物が検査領域Ｒ内に存在しない場合には、差分信号が略０となる。この場合、金属異物が混入されていないために差分信号が略０なのか、送信回路２及び受信回路３の少なくとも一方が断線しているために差分信号が略０なのかを判断することが困難である。診断部４１は、このような状況を切り分ける機能を有する。
【００２８】
診断部４１は、金属検出装置１の金属検出能力を診断する。より具体的な一例として、診断部４１は、送信回路２及び受信回路３が正常に機能しているか否かを判定する。正常に機能するとは、金属検出するために支障なく動作することをいう。正常に機能している場合、送信回路２によって交番磁界が形成され、受信回路３によって交番磁界に応じた検出がなされる。診断部４１は、被検査物Ｓが検査領域Ｒ内を通過していないときに診断を行う。診断部４１は、金属検出装置１の電源投入時や定時刻などの予めスケジュールされたイベントや時刻に応じて診断を開始してもよいし、マニュアル操作で診断を開始してもよい。
【００２９】
診断時において、診断部４１は、送信コイル２０に供給される交番電流の設定波形を変化させる。一例として、診断部４１は、金属検出部４０により生成された送信信号を変化させる。例えば、診断部４１は、金属検出部４０により生成された送信信号に所定のゲインを掛け合わせて振幅を変更してもよいし、金属検出部４０により生成された送信信号に変調フィルタをかけて周波数を変更してもよい。
【００３０】
診断部４１は、通信回路などを介して送信回路２へ生成した送信信号を出力する。これにより、送信コイル２０に供給される交番電流の波形が変化し、その変化に応じて被検査物Ｓが通過する検査領域Ｒ内の交番磁界も変化する。第１受信コイル３０ａは、第２受信コイル３０ｂと同一の巻数及び長さで構成されているものの、取り付け位置や組み付け誤差が存在する。このような誤差を含んでいる第１受信コイル３０ａ及び第２受信コイル３０ｂは、交番磁界の変化に対して完全に同調した検出をすることができず、差動接続された受信コイルからの出力は、値を持った出力（差分信号）となる。
【００３１】
診断部４１は、通信回路などを介して受信回路３から差分信号を取得する。診断部４１は、差分信号に基づいて送信回路２及び受信回路３が正常に機能しているか否かを判定する。診断部４１は、送信コイル２０に供給される交番電流の設定波形の変化に応じて差分信号が変化しない場合には、送信回路２及び受信回路３が正常に機能していないと判定する。
【００３２】
診断部４１は、一例として、送信コイル２０に供給される交番電流の振幅を変化させる。この場合、第１受信コイル３０ａ及び第２受信コイル３０ｂの出力の振幅に差が生じて差分信号が値を持った出力となる。診断部４１は、所定値以上の差分信号の振幅が確認できた場合、送信回路２及び受信回路３が正常に機能していると判定する。例えば、回路が断線した場合には、交番電流の振幅を変化させても差分信号の値は０になる。診断部４１は、所定値以上の差分信号の振幅が確認できない場合、送信回路２及び受信回路３が正常に機能していないと判定する。
【００３３】
診断部４１は、他の例として、送信コイル２０に供給される交番電流の位相又は周波数を変化させてもよい。この場合、第１受信コイル３０ａ及び第２受信コイル３０ｂの出力の位相に差が生じて差分信号が値を持った出力となる。診断部４１は、所定値以上の位相の変化が確認できた場合、送信回路２及び受信回路３が正常に機能していると判定する。診断部４１は、所定値以上の位相変化が確認できない場合、送信回路２及び受信回路３が正常に機能していないと判定する。
【００３４】
記憶部４２は、診断部４１の診断結果を記憶媒体に記憶する。表示部４３は、診断部４１の診断結果をディスプレイなどの表示器に表示させる。
【００３５】
［金属検出時の各信号の一例］
金属検出時の各信号について概説する。図２は、交番電流、受信回路の電流、及び、差分信号を説明するグラフである。図２の（Ａ）は、交番電流の一例である。図２の（Ｂ）は第１受信コイル３０ａ及び第２受信コイル３０ｂの検出信号の一例である。図２の（Ｃ）は差分信号の一例である。
【００３６】
図２の（Ａ）は、所定周期及び所定振幅の交番電流である。このような交番電流が送信コイルに供給されることで、交番磁界が発生する。図２の（Ｂ）は、第１受信コイル３０ａ及び第２受信コイル３０ｂの検出信号の一例である。第１受信コイル３０ａにより実線の波形が検出され、第２受信コイル３０ｂにより破線の波形が検出される。実線の波形は、破線の波形と振幅の絶対値及び位相が同一であり、振幅の正負が逆転する。実線の波形及び破線の波形が差動接続で加算されることにより、図２の（Ｃ）に示される差分信号が得られる。金属異物が検査領域Ｒを通過しない場合には、交番磁界に歪みが生じないため、差分信号が略０となる。これに対して、金属異物が検査領域Ｒを通過する場合には、交番磁界に歪みが生じるため、差分信号が値を持つことになる。金属検出部４０は、所定の閾値以上の差分信号を検出した場合、金属異物が混入したと判定する。
【００３７】
［診断時の各信号の一例］
診断時の各信号について概説する。図３は、図２の交番電流の振幅を変化させたときの交番電流、受信回路の電流、及び、差分信号を説明するグラフである。図３の（Ａ）は、交番電流の一例である。図３の（Ｂ）は第１受信コイル３０ａ及び第２受信コイル３０ｂの検出信号の一例である。図３の（Ｃ）は差分信号の一例である。
【００３８】
図３の（Ａ）は、図２の交番電流の振幅を変化させたときの交番電流である。診断部４１は、診断時において、図２の所定周期及び所定振幅Ａ１の交番電流を、図２の所定周期及び所定振幅Ａ２の交番電流へと変化させる。このような変化が行われると、交番磁界にも変化が発生する。図３の（Ｂ）は、第１受信コイル３０ａ及び第２受信コイル３０ｂの検出信号の一例である。第１受信コイル３０ａにより実線の波形が検出され、第２受信コイル３０ｂにより破線の波形が検出される。図２の（Ｂ）と比較すると、第１受信コイル３０ａの検出信号の振幅が大きくなっている。このため、図３の（Ｃ）に示される差分信号が得られる。診断部４１は、所定の閾値Ａ以上の差分信号を検出した場合、送信回路２及び受信回路３が正常に機能していると判定する。診断部４１は、所定の閾値Ａ以上の差分信号を検出しない場合、送信回路２及び受信回路３が正常に機能していないと判定する。診断部４１は、差分信号の最大値が所定の閾値Ａ以上かつ所定の閾値Ｂ以下の範囲にある場合、送信回路２及び受信回路３が正常に機能していると判定してもよい。
【００３９】
［診断時の各信号の他の例］
次に、交番電流の位相を変化させた場合の一例を説明する。図４は、交番電流の位相変化の前後における受信回路の出力電圧と位相との関係を示す特性カーブである。図４の（Ａ）は、図２の（Ａ）に示される交番電流が送信コイル２０へ供給されたときに、サーチコイル３０（第１受信コイル３０ａ及び第２受信コイル３０ｂ）によって励起される電圧と、位相との関係を示す特性カーブである。このような特性カーブは、例えば特許第３７８９６１８号に記載の周知の手法で得ることができる。
【００４０】
図４の（Ｂ）は、図２の（Ａ）に示される交番電流の位相を変化させて送信コイル２０へ供給されたときに、サーチコイル３０（第１受信コイル３０ａ及び第２受信コイル３０ｂ）によって励起される電圧と、位相との関係を示す特性カーブである。このように、励起電圧と位相との関係が位相変化の前後で異なる。診断部４１は、交番電流の位相を変化させたときは、励起電圧と位相との関係に変化があるか否かを判定することにより、送信回路２及び受信回路３が正常に機能しているか否かを判定する。
【００４１】
［診断方法］
次に、金属検出装置１の診断方法を説明する。図５は、金属検出装置の診断処理の一例を説明するフローチャートである。図５に示されるフローチャートは、例えば金属検出装置１の電源投入時や定時刻などの予めスケジュールされたイベントや時刻に応じて開始されてもよいし、マニュアル操作で開始されてもよい。
【００４２】
図５に示されるように、診断部４１は、判定処理（ステップＳ１０）により、被検査物Ｓが検査領域Ｒ内を通過しているか否かを判定する。例えば、診断部４１は、検査領域Ｒに設けられた図示しないセンサなどの検出結果に基づいて被検査物Ｓが検査領域Ｒ内を通過しているか否かを判定する。あるいは、診断部４１は、他の構成要素又は作業員の判断結果を入力して、被検査物Ｓが検査領域Ｒ内を通過しているか否かを判定してもよい。
【００４３】
被検査物Ｓが検査領域Ｒ内を通過していない場合（ステップＳ１０：ＮＯ）、診断部４１は、磁場発生処理（ステップＳ１２）として、金属検出で用いられる所定周期及び所定振幅の交番電流が発生されるように、送信信号を生成し、送信回路２へ出力する。これにより、検査領域Ｒに交番磁界が発生する。
【００４４】
続いて、診断部４１は、送信波形変更処理（ステップＳ１４：設定波形を変化させるステップ）として、送信回路２へ出力する送信信号を変更する。診断部４１は、例えば振幅に所定のゲインを加算することにより、振幅がより大きくなるように変更する。
【００４５】
続いて、診断部４１は、診断処理（ステップＳ１６：判定するステップ）として、受信回路３から取得した差分信号に基づいて、送信回路２及び受信回路３が正常に機能しているか否かを判定する。診断部４１は、所定値以上の差分信号の振幅が確認できた場合、送信回路２及び受信回路３が正常に機能していると判定する。診断部４１は、所定値以上の差分信号の振幅が確認できない場合、送信回路２及び受信回路３が正常に機能していないと判定する。診断部４１は、必要があれば記憶部４２に判定結果を記憶させ、表示部４３に判定結果を表示させる。
【００４６】
被検査物Ｓが検査領域Ｒ内を通過している場合（ステップＳ１０：ＹＥＳ）、又は、診断処理（ステップＳ１６）が終了した場合、図５に示されるフローチャートを終了する。
【００４７】
以上、第１実施形態に係る金属検出装置１及び診断方法によれば、診断部４１により、被検査物Ｓが検査領域Ｒ内を通過していないときに送信コイル２０に供給される交番電流の設定波形が変化する。交番電流の設定波形が変化した場合、検査領域Ｒ内の磁界が変化する。このため、第１受信コイル３０ａの検出値及び第２受信コイル３０ｂの検出信号も変化する。第１受信コイル３０ａ及び第２受信コイル３０ｂは、配置位置の違いや組み付け誤差などにより、同一の磁束変化であっても若干異なる検出信号を出力する。つまり、送信回路２及び受信回路３が正常であれば、交番電流の設定波形の変化に応じて差分信号が変化する（０以上の値を有する）。金属検出装置１は、交番電流の設定波形の変化に応じた差分信号の変化を検証することで、テストピースを用いることなく送信回路２及び受信回路３が正常に機能しているか否かを判定することができる。
【００４８】
また、金属検出装置１は、テストピースを用いることなく送信回路及び受信回路が正常に機能しているか否かを判定することにより、診断に必要な人員を削減することができる。
【００４９】
［第２実施形態］
第２実施形態に係る金属検出装置１Ａは、第１実施形態に係る金属検出装置１と比べて、送信コイル２０を流れる交番電流を検出する検出器が取り付けられている点、及び、診断部が検出器の検出結果を用いて送信回路又は前記受信回路が正常に機能しているか否かを判定する点について相違し、その他は同一である。
【００５０】
図６は、第２実施形態に係る金属検出装置の概念図である。金属検出装置１Ａは、送信コイル２０を流れる交番電流を検出する検出器２１を有する。検出器２１は、電流計であってもよい。検出器２１は、検出結果を制御部４へ出力する。
【００５１】
診断部４１Ａは、検出器２１の検出結果と差分信号とに基づいて、送信回路又は前記受信回路が正常に機能しているか否かを判定する。診断部４１Ａは、第１実施形態と同様に、差分信号を用いて送信回路２及び受信回路３が正常に機能しているか否かを判定する。ここで、差分信号が閾値以下である場合、診断部４１Ａは、検出器２１により交番電流が検出されているか否かを判定する。
【００５２】
診断部４１Ａは、差分信号が閾値以下であり、かつ、検出器２１により交番電流が検出されている場合には、受信回路３が正常に機能していないと判定する。診断部４１Ａは、差分信号が閾値以下であり、かつ、検出器２１により交番電流が検出されてない場合には、少なくとも送信回路２が正常に機能していないと判定する。その他の機能は第１実施形態と同一である。
【００５３】
本実施形態に係る金属検出装置１Ａによれば、送信回路２及び受信回路３のどちらが異常であるのかを切り分けることができる。
【００５４】
以上、本発明の一実施形態について説明したが、本発明は、上述した実施形態に限定されるものではない。
【００５５】
例えば、自然落下する被検査物Ｓを検査する装置（いわゆるサーキュラー型の検査装置）の例を示したが、これに限定されない。金属検出装置は、被検査物Ｓを水平方向に搬送するコンベヤと、コンベアによって搬送された被検査物Ｓを通過させるケース本体部とを備え、ケース本体部１０の内部に検査領域が設定されていてもよい。
【符号の説明】
【００５６】
１…金属検出装置、２…送信回路、３…受信回路、４…制御部、１０…ケース本体部、２０…送信コイル、２１…検出器、３０…サーチコイル、３０ａ…第１受信コイル、３０ｂ…第２受信コイル、４０…金属検出部、４１，４１Ａ…診断部。
【図１】
2019002709.tif 000003
【図２】
2019002709.tif 000004
【図３】
2019002709.tif 000005
【図４】
2019002709.tif 000006
【図５】
2019002709.tif 000007
【図６】
2019002709.tif 000008